(57)【要約】【課題】液晶テレビ内部の連接コード及びその信号処理回路板を分離することによって、修理または製品の更新に便利な液晶テレビ構造の提供。【解決手段】液晶テレビ構造は、筐体、液晶テレビモジュール、電源供給器、信号処理の回路板及びその連接コードから構成される。そのうち、液晶テレビ内部の信号処理を行う回路板のすべての連接コードを、一個もしくは複数個の転換ヘッドに連接する。またその転換ヘッドを筐体後方の固定溝表面の適する位置に設置する。この他信号処理を行う回路板は制御ボックス内に設置し、制御ボックス表面には上述の転換ヘッドと同じ数で位置が対応する連接ヘッドを設置し、制御ボックスを筐体後方の固定溝内に固定し、制御ボックスの連接ヘッドと固定溝内の転換ヘッドは相互に電導する。このセパレート型設計により、修理もしくは製品の更新に便利である。【選択図】図２
0003125690.tif 000002
【実用新案登録請求の範囲】
【請求項１】
主に筐体、液晶パネルモジュール、電源供給器、信号処理の回路板及びその連接コードから構成された液晶テレビ構造において、
液晶テレビ内部の信号を処理する回路板のすべての連接コードは、転換ヘッド上に連接し、転換ヘッドを筐体の後方の固定溝表面の適する位置に設置し、他に信号処理を行う回路板は制御ボックス内に設置し、制御ボックス表面に上述の転換ヘッド位置に対応する連接ヘッドを設置することを特徴とする液晶テレビ構造。
【請求項２】
主に筐体、液晶パネルモジュール、電源供給器、信号処理の回路板及びその連接コードから構成された液晶テレビ構造において、
液晶テレビ内部の信号を処理する回路板のすべての連接コードは、複数個の転換ヘッド上に連接し、転換ヘッドを筐体の後方の固定溝表面の適する位置に設置し、他に信号処理を行う回路板は制御ボックス内に設置し、制御ボックス表面に上述の転換ヘッド位置に対応する連接ヘッドを複数個設置することを特徴とする液晶テレビ構造。
【考案の詳細な説明】
【技術分野】
【０００１】
本考案は、液晶テレビ構造に関するもので、液晶テレビ内部の連接コード及びその信号処理回路板を分離することによって、修理または製品の更新に便利なものである。
【背景技術】
【０００２】
近年、科学技術は大幅に進歩し、一般家庭での視聴娯楽に対する要求は従来に比べて更に高くなった。より良いもの、より大きい映像、より本物に近く、立体的な音響効果を望むようになったため、市場では大画面の視聴製品、例として従来のテレビ、プラズマテレビ、液晶テレビが出現している。しかし、従来のテレビはブラウン管を映像の元としているため、更に大きなサイズのスクリーンにする場合、ブラウン管を更に大きくしなければならず、相対してテレビ全体の体積も大きくなる。そのため大画面のテレビ競争では従来のテレビは徐々に淘汰される。残るはプラズマテレビと液晶テレビであるが、プラズマテレビは映像の品質において、問題がある。プラズマテレビはその画素に特色があり、プラズマの画素は電流によって光るため、光らない時は光らず、光ると光らないとの間の状態がない。またＰＭＳ法(Pulse code modelation)と呼ばれる方法で輝度を制御、即ち被点火点を光らせるためにそれらが光るという画素である。また陰影のある箇所、つまり常に点火するポイントが必要ない画素で、目で見ると、一定時間の平均ポイントには異なる輝度があると推測できる。また、その他の問題として、パネルに近づいた時、スクリーンの動きは人に不快感を与え、且つそのスクリーンには烙印、即ち画素老化の問題がある。最後に製造コストが高く、制御部品の生産時の費用も大きい。比較すると、一般に受け入れられる大画面は液晶テレビとなる。液晶テレビはプラズマテレビに比べて価格が低く、映像の品質から見ても液晶はＣＲＴモニターの輝度がよく、液晶の画素も動かない。そのため液晶テレビは映像安定度もよく、近距離で鑑賞でき、目も疲れにくく、輝度もよく烙印の問題もない。液晶テレビは一般に液状の結晶体を電圧作用によって発光させる原理であり、そのモニターの液状結晶体は赤、緑、青の三原色で、それらは一定の順序で配列しており、電圧を受けるとこれらの液状結晶体は異なる色になり、異なる比例によって様々な色彩を表す。図１に示すとおり、液晶テレビａは、筐体ａ１、液晶パネルモジュールａ２、電源供給器ａ３、信号処理の回路板ａ４及び連接コードａ５を含み、その信号処理の回路板ａ４には映像処理の機能を具える。
【０００３】
一般に組み立てる時、液晶パネルモジュールａ２を筐体ａ１の前方に設置し、電源供給器ａ３、信号処理の回路板ａ４は筐体ａ１内部に設置する（２１インチ以下のテレビの電源供給器は外に設置）。このため、液晶テレビａを修理または製品の更新作業の時、機器全体を修理部門に持っていかなければならないので、大変不便である点である。
【考案の開示】
【考案が解決しようとする課題】
【０００４】
本考案の主な目的は、筐体及び制御回路板のセパレート設計した液晶テレビ構造を提供し、修理及び製品の更新を便利にする。
【０００５】
上述の目的を達成するため、本考案の液晶テレビ構造は、主に筐体、液晶テレビの連接コード及び信号処理の回路板に対し、先ず液晶テレビ内部の信号処理回路板のすべての連接コードを一個もしくは複数個の転換ヘッド上に連接し、転換ヘッドは筐体後方の固定溝の表面の適する位置に設置する。他に信号処理を行う回路板は制御ボックス内に設置し、制御ボックス表面に上述の転換ヘッドと対応する位置に同じ数の連接ヘッドを設置する。
【０００６】
上述の構造を使用する時、制御ボックスを筐体後方の固定溝内に固定し、制御ボックスの連接ヘッドと固定溝内の転換ヘッドを相互に電導させ、信号処理の回路板と内部の連接コードは電導し、液晶テレビが正常に動作する。また修理もしくは製品の更新を行う時、制御ボックスを外して修理部門へ持って行けばよいので、搬送が便利なだけでなく、着脱も便利である。
【課題を解決するための手段】
【０００７】
請求項１の考案は、主に筐体、液晶パネルモジュール、電源供給器、信号処理の回路板及びその連接コードから構成された液晶テレビ構造において、
液晶テレビ内部の信号を処理する回路板のすべての連接コードは、転換ヘッド上に連接し、転換ヘッドを筐体の後方の固定溝表面の適する一に設置し、他に信号処理を行う回路板は制御ボックス内に設置し、制御ボックス表面に上述の転換ヘッド位置に対応する連接ヘッドを設置することを特徴とする液晶テレビ構造としている。
請求項２の考案は、主に筐体、液晶パネルモジュール、電源供給器、信号処理の回路板及びその連接コードから構成された液晶テレビ構造において、
液晶テレビ内部の信号を処理する回路板のすべての連接コードは、複数個の転換ヘッド上に連接し、転換ヘッドを筐体の後方の固定溝表面の適する位置に設置し、他に信号処理を行う回路板は制御ボックス内に設置し、制御ボックス表面に上述の転換ヘッド位置に対応する連接ヘッドを複数個設置することを特徴とする液晶テレビ構造としている。
【考案の効果】
【０００８】
本考案の液晶テレビ構造は、液晶テレビ内部の連接コード及びその信号処理回路板を分離することによって、修理または製品の更新に便利であるという利点がある。
【考案を実施するための最良の形態】
【０００９】
図２，３に示すとおり、本考案の液晶テレビ構造は、主に筐体１０、液晶テレビ１の連接コード２０及び信号処理の回路板３０を含む。
【００１０】
液晶テレビ１内部にあるすべての連接コード２０を、一個もしくは複数個の転換ヘッド２１に連接し、転換ヘッド２１を筐体１０後方の固定溝１１表面の適する箇所に設置する。他に信号処理を行う回路板３０を制御ボックス３１内に設置し、その制御ボックス３１上には転換ヘッド２１の数に対応する連接ヘッド３２を設置し、その連接ヘッド３２は制御ボックス３１表面に設置して固定溝１１上の転換ヘッド２１に対応する位置に設置する。
【００１１】
使用時、制御ボックス３１を筐体１０後方の固定溝１１内に設置し、制御ボックスの連接ヘッド３２は固定溝１１内の転換ヘッド２１に相互に電導し、信号処理を行う回路板３０と連接コード２０が電導し、液晶テレビ１が正常に稼動する。
【図面の簡単な説明】
【００１２】
【図１】公知の液晶テレビの立体構造図である。
【図２】本考案の立体構造図である。
【図３】本考案の組立断面図である。
【符号の説明】
【００１３】
１        液晶テレビ
１０        筐体
１１        固定溝
２０        連接コード
２１        転換ヘッド
３０        回路板
３１        制御ボックス
３２        連接ヘッド
【図１】
0003125690.tif 000003
【図２】
0003125690.tif 000004
【図３】
0003125690.tif 000005